(57)【特許請求の範囲】
【請求項１】
感光体ドラムと同軸上に係合可能で端面にネジ穴を有する駆動軸と、この駆動軸と同軸上に保持され前記感光体ドラムにかかる回転ムラをその慣性質量で抑制するフライホイルと、このフライホイルの中心部に固定され前記駆動軸の軸端部に嵌合する穴部を有し、前記駆動軸の回転を前記フライホイルに伝達すると共に、前記ネジ穴側端部に溝部を有するフランジと、略中心部に穴を有するフランジキャップとを具備し、
前記フランジの穴部を前記駆動軸の軸端部に嵌合させた後に、前記フランジキャップを前記駆動軸端面との間に緩み止め部材を挿入して前記フランジの溝部に嵌合させ、他の緩み止め部材を介してネジを当該フランジキャップの穴に挿入し前記駆動軸端面のネジ穴にネジ止めすることにより、前記フランジを前記駆動軸に固定させることを特徴とする感光体ドラム保持装置。
【請求項２】
前記フランジキャップは外周に凹凸を有し、前記フランジは前記フランジキャップが嵌合される前記溝部の内周に前記凹凸に対応する凹凸を有することを特徴とする請求項１記載の感光体ドラム保持装置。
【請求項３】
前記フランジは前記フランジの穴部により前記駆動軸の軸端部と嵌合して前記軸端部を収納する収納部と、前記収納部端部に前記フランジキャップが嵌合される溝部を有し、前記フランジキャップはリング形状であって、前記収納部の周面に向けて凸形状を備え、前記溝部は前記リング形状が嵌め込まれ、あわせて前記凸形状を収納する凹形状を備えた形状であることを特徴とする請求項１記載の感光体ドラム保持装置。
【請求項４】
前記フライホイルの表面上に第１回転止穴を設け、さらに前記第１回転止穴に通される棒部材と、前記駆動軸に動力を伝達する駆動源を収納するブラケットとを設け、このブラケットに、前記フライホイルを前記駆動軸にネジ止めする際、前記第１回転止穴を通した前記棒部材が差し込まれる第２回転止穴を設けたことを特徴とする請求項１ないし請求項３のいずれかに記載の感光体ドラム保持装置。
【請求項５】
請求項１ないし請求項４のいずれかに記載の感光体ドラム保持装置を有することを特徴とする電子写真記録装置。
【請求項６】
請求項１ないし請求項４のいずれかに記載の感光体ドラム保持装置を有することを特徴とする複写装置。
【発明の詳細な説明】
【０００１】
【発明の属する技術分野】
本発明は、感光体ドラムに生じる回転ムラをその慣性質量により抑制するフライホイルを有する感光体ドラム保持装置及びこれを備えた電子写真記録装置並びに複写装置に関する。
【０００２】
【従来の技術】
従来、この種の感光体ドラム保持装置及びこれを備えた電子写真記録装置並びに複写装置において、感光体ドラムは、モータの回転をギヤ、タイミングベルト、電磁クラッチなどの伝達手段を介して定速回転を行ない、画像を形成する。
【０００３】
しかし、ギヤは歯と歯とをかみ合わせて回転を伝達するものであるため、歯と歯との噛み合いずれによる速度変動が生じ、その結果、感光体ドラムに回転ムラが生ずることがある。また、負荷変動などの外乱要因によりモータの回転そのものに回転ムラを誘発することもある。
【０００４】
かかる回転ムラを防止するため、感光体ドラムの軸上に、フライホイルと呼ばれる重りを取り付け、このフライホイルの慣性質量により回転ムラを抑えることが行われている。フライホイルは円盤形状を為し、ある程度の重量を有している。また、フライホイルは、感光体ドラムの軸が嵌め込まれるフランジが中心部に固定されることで感光体ドラムに固定される。
【０００５】
具体的には、感光体ドラムの軸端部に軸方向と平行なＤカット形状の加工を施す。一方、フランジの中心部には感光体ドラムの軸のＤカット形状と合致する内周部を設ける。このフランジの内周部に感光体の軸端部を嵌め込むことで、感光体ドラムの軸の回転はフランジに設けた内周部に伝達され、フランジを回転させることになる。そして、フランジはフライホイルに固定されているので、フランジの回転はフライホイルを回転させることになる。
【０００６】
図８に従来の感光体ドラムの保持装置の要部拡大図を示す。図８は、従来の感光体ドラムの保持装置の感光体ドラムの軸とフランジとの連結部分の拡大図である。
【０００７】
同図に示すように、フライホイル８０１に固定されたフランジ８０２に感光体ドラムの軸８０３が嵌め込まれる。そして、感光体ドラムの軸８０３端部に設けられたネジ穴に対応する位置に形成されたフランジ８０２の穴部からネジ８０４を挿入しネジ止めすることでフライホイル８０１と感光体ドラムの軸８０３とが固定される。このようにフライホイル８０１と感光体ドラムの軸８０３とを固定すると、フライホイル８０１の重量等の要因により、感光体ドラムの軸８０３の方向に負荷が生じ、この負荷は全てネジ８０４に加わる。この負荷を吸収する手段として、ネジ８０４とフランジ８０２との間及びフランジ８０２と感光体ドラムの軸８０３との間に、例えば、ばね座金のような緩み止め部材８０５Ａ、８０５Ｂが挿入されている。
【０００８】
【発明が解決しようとする課題】
しかし、かかる従来の技術によれば、以下の問題があった。
【０００９】
即ち、上記のように、緩み止め部材８０５Ａ、８０５Ｂを、ネジ８０４とフランジ８０２の間及びフランジ８０２と感光体ドラムの軸８０３との間、の２個所に挿入している。そのため、フライホイル８０１を感光体ドラムの軸８０３にネジ止めで固定する作業は、まず感光体ドラムの軸８０３のネジ穴の開いた端面を上方に向けて、その上に１つ目の緩み止め部材８０５Ｂを載せ、その上にフライホイル８０１を取り付けたフランジ８０２を載せ、その上に２つ目の緩み止め部材８０５Ａを載せ、その状態で上方からネジ８０４を挿入して固定することになる。
【００１０】
この作業の過程において、１つ目の緩み止め部材８０５Ｂは、感光体ドラムの軸８０３とフライホイル８０１との間に位置する。上方に位置するフライホイル８０１は径の大きい円盤形状の部材であり、一方、下方に位置する感光体ドラムの軸８０３の端面は径の小さい平面であるため、これらのフライホイルと感光体ドラムの軸８０３との間に１つ目の緩み止め部材８０５Ｂを安定して保持することは極めて困難であるという問題があった。
【００１１】
特に、フライホイル８０１は重量の重たい部材であるため、この重たく径の大きい部材の下に手を回して、１つ目の緩み止め部材８０５Ｂを保持しながら、上方でネジ８０４を回して挿入する作業は極めて煩雑である。
【００１２】
本発明は、かかる問題点に鑑みて為されたものであり、感光体ドラムの軸をフライホイルに固定する作業を容易にできる感光体ドラム保持装置、電子写真記録装置及び複写装置を提供することを目的とする。
【００１３】
【課題を解決するための手段】
本発明は、感光体ドラムの駆動軸の回転をフライホイルに伝達するフランジを、フランジとこのフランジに嵌合されるフランジキャップとに分離し、このフランジを駆動軸に固定するネジ頭とフランジキャップとの間に第１緩み止め部材を挟む一方、第２緩み止め部材をフランジキャップと駆動軸との間に挟みながらフランジを駆動軸に固定するようにしたものである。
【００１４】
これにより、ネジ止め作業の過程で第１緩み止め部材及び第２緩み止め部材が外れることはないので、第１緩み止め部材又は第２緩み止め部材を手で押えて保持する必要がなく、フライホイルを感光体ドラムの駆動軸にネジ止めする作業を容易にできる。
【００１５】
【発明の実施の形態】
本発明の第１の態様に係る感光体ドラム保持装置は、感光体ドラムと同軸上に係合可能で端面にネジ穴を有する駆動軸と、この駆動軸と同軸上に保持され前記感光体ドラムにかかる回転ムラをその慣性質量で抑制するフライホイルと、このフライホイルの中心部に固定され前記駆動軸の軸端部に嵌合する穴部を有し、前記駆動軸の回転を前記フライホイルに伝達すると共に、前記ネジ穴側端部に溝部を有するフランジと、略中心部に穴を有するフランジキャップとを具備し、前記フランジの穴部を前記駆動軸の軸端部に嵌合させた後に、前記フランジキャップを前記駆動軸端面との間に緩み止め部材を挿入して前記フランジの溝部に嵌合させ、他の緩み止め部材を介してネジを当該フランジキャップの穴に挿入し前記駆動軸端面のネジ穴にネジ止めすることにより、前記フランジを前記駆動軸に固定させる構成を採る。
【００１６】
この構成によれば、フライホイルの中心部に固定され駆動軸の軸端部に嵌合する穴部を有し、端部に溝部を有するフランジと、略中心部に穴を有するフランジキャップとを具備し、フランジの穴部を駆動軸の軸端部に嵌合させるものである。これにより組み立て作業において、フランジとフランジキャップを分離し、フライホイルに固定されたフランジを最初に駆動軸に取り付けることができるので、径の大きく重量の重いフライホイルを保持しながら行う作業が無く、作業性が良いという効果を有する。
【００１７】
また、フランジの穴部を駆動軸の軸端部に嵌合させた後に、フランジキャップを駆動軸端面との間に緩み止め部材を挿入してフランジの溝部に嵌合させるものである。これにより緩み止め部材が駆動軸端面とフランジキャップの間に挟まれることとなり、ネジ止め作業の過程で外れることがないので、緩み止め部材を手で押さえて保持すること無く、容易にネジ止め作業をすることができる。
【００１８】
さらに、他の緩み止め部材を介してネジを当該フランジキャップの穴に挿入し前記駆動軸端面のネジ穴にネジ止めすることにより、前記フランジを前記駆動軸に固定させるものである。これによりネジ止め作業の過程で他の緩み止め部材が外れることがないので、緩み止め部材を手で押さえて保持すること無く、容易にネジ止め作業をすることができる。
【００１９】
本発明の第２の態様は、第１の態様に係る感光体ドラム保持装置は、前記フランジキャップは外周に凹凸を有し、前記フランジは前記フランジキャップが嵌合される前記溝部の内周に前記凹凸に対応する凹凸を有する構成を採る。
【００２０】
フランジの内周部分に嵌合されるフランジキャップの外周が凹凸のない円周の場合、感光体ドラムの回転によりフランジ及びネジはこの回転に連動して回転するが、フランジキャップはその外周面でフランジの内部に接触しているだけであるため、フランジの内部で空転する。そのため、ネジに対して、感光体ドラムの軸により回転しようとする力が加わり、一方、フランジキャップからは止まろうとする、相反する力が加わるので、ネジに負荷が生じネジが緩むことになる。
【００２１】
本発明の第２の態様によれば、前記フランジキャップの外周に凹凸を設け、一方、前記フランジの溝部の内周に前記凹凸に対応する凹凸を設けることにより、感光体ドラムが回転すると、フランジキャップの凹凸がフランジの凹凸に噛み合ってフランジキャップがフランジの内部で空転するのを防止できるので、ネジに対して相反する力が加わって、ネジがゆるむのを防止できる。
【００２２】
本発明の第３の態様は、第１の態様に係る感光体ドラム保持装置において、前記フランジは前記フランジの穴部により前記駆動軸の軸端部と嵌合して前記軸端部を収納する収納部と、前記収納部端部に前記フランジキャップが嵌合される溝部を有し、前記フランジキャップはリング形状であって、前記収納部の周面に向けて凸形状を備え、前記溝部は前記リング形状が嵌め込まれ、あわせて前記凸形状を収納する凹形状を備えた構成を取る。
【００２３】
この構成によれば、前記フランジキャップの外周に凹凸を設け、一方、前記フランジの溝部の内周に前記凹凸に対応する凹凸を設けることにより、感光体ドラムが回転すると、フランジキャップの凹凸がフランジの凹凸に噛み合ってフランジキャップがフランジの内部で空転するのを防止できるので、ネジに対して相反する力が加わって、ネジがゆるむのを防止できる。
【００２４】
本発明の第４の態様は、第１ないし第３のいずれかの態様に係る感光体ドラム保持装置において、前記フライホイルの表面上に第１回転止穴を設け、さらに記第１回転止穴に通される棒部材と、前記駆動軸に動力を伝達する駆動源を収納するブラケットとを設け、このブラケットに、前記フライホイルを前記駆動軸にネジ止めする際、前記第１回転止穴を通した前記棒部材が差し込まれる第２回転止穴を設けた構成を採る。
【００２５】
この構成によれば、フライホイルを前記感光体ドラムの軸にネジ止めする際、棒部材がフライホイルの第１回転止穴とブラケットの第２回転止穴とに貫通して前記フライホイルが回転するのを止めるとことにより、ネジを回す際にフライホイルがつられて回転するのを防止できるので、フライホイルを手で押えることなく、ネジを最後まで押し込むことができる。
【００２６】
本発明の第５の態様に係る電子写真記録装置は、第１ないし第４のいずれかの態様に係る感光体ドラム保持装置を有する構成を採る。
【００２７】
この構成により、電子写真記録装置において、第１ないし第４のいずれかの態様と同様の効果を有する。
【００２８】
本発明の第６の態様に係る複写装置は、第１ないし第４のいずれかの態様に係る感光体ドラム保持装置を有する構成を採る。
【００２９】
この構成により、複写装置において、第１ないし第４のいずれかの態様と同様の効果を有する。
【００４２】
以下、本発明の実施の形態について、図面を参照して詳細に説明する。
【００４３】
図１は、本発明の一実施の形態に係る感光体ドラム保持装置が適用される電子写真記録装置１００の概略構成図である。なお、本電子写真記録装置１００は、複写装置として機能する。図１に示すように、本電子写真記録装置１００は、上部に原稿の読み取りを行う読取ユニット１０１を備え、その下方に給紙、転写、記録、定着の処理を実行する本体ユニット１０２を備える。
【００４４】
本体ユニット１０２の底部に給紙カセット１０３が設置されている。給紙カセット１０３にセットされた用紙束から最上面の用紙がピックアップローラ１０４によって取り出される。
【００４５】
給紙カセット１０３から取り出された用紙は、給紙ローラ１０５によって本体ユニット１０２の底部から上方に向けて形成された紙パス１０６に送り込まれる。紙パス１０６には、本発明に係る用紙搬送装置における用紙の搬送手段としての複数の搬送ローラ１０７、１０８及び１０９が配置されている。搬送ローラ１０７、１０８及び１０９は、図示しない本体ユニット１０２の開閉カバーを開いて交換可能な構成になっている。
【００４６】
最も上方に配置された搬送ローラ１０９によって搬送された用紙は、搬送ローラ１１０によってレジストローラ１１１に渡される。レジストローラ１１１による用紙の搬送先には、図中矢印方向に回転する感光体ドラム１１２が配置されている。感光体ドラム１１２は、その側面において、本発明に係る感光体ドラム保持装置に保持されている。
【００４７】
感光体ドラム１１２の上方には、感光体ドラム１１２の表面に潜像画像を形成するＬＳＵ（Laser Scan Unit）１１３が配置されている。感光体ドラム１１２に形成された潜像画像に現像材（トナー）を付着させる現像装置１１４が感光体ドラム１１２に隣接して配置されている。現像装置１１４内部には現像材を攪拌・搬送する攪拌ローラと感光体ドラム１１２に現像材を付着させる現像ローラを備えている。
【００４８】
感光体ドラム１１２の下方には、感光体ドラム１１２に現像材が付着することで形成された画像を、搬送される用紙に転写する転写器１１５が設置されている。なお、感光体ドラム１１２上の画像と用紙の記録領域との位置調整はレジストローラ１１１によって制御される。
【００４９】
画像を転写し終わった感光体ドラム１１２の表面をクリーニングするクリーニングユニット１１６が感光体ドラム１１２に隣接して配置されている。画像が転写された用紙は搬送ベルト１１７によりさらに搬送される。搬送ベルト１１７の搬送先には定着ユニット１１８が配置されている。
【００５０】
定着ユニット１１８は、定着ローラ１１９と、定着ローラ１１９に対向配置された加圧ローラ１２０と、を備えている。定着ローラ１１９が用紙の記録面に熱を加え、加圧ローラ１２０が用紙を定着ローラ１１９との間で押圧することにより、用紙に画像が定着する。
【００５１】
定着ユニット１１８から排出された用紙は、排出ローラ１２１により本体ユニット１０２の外部に排出される。本体ユニット１０２から排出された用紙は、排紙トレイ１２２上に受け止められる。
【００５２】
定着ユニット１１８と排出ローラ１２１との間に、用紙を本体ユニット１０２の外部に排出するか、両面記録を行うための両面パス１２３に送り込むかを切り替える切替ガイド１２４が配置されている。両面パス１２３は、切替ガイド１２４の近傍から下方向に向かって形成された部分（１２３Ａ）と、その途中で略水平方向に向かって形成された部分（１２３Ｂ）とで構成されている。
【００５３】
両面パス１２３に送り込まれた用紙は、反転ローラ１２５により両面パス１２３のうち、下方向に形成された部分１２３Ａの延長上に形成された反転パス１２６に一旦引き込まれる。反転パス１２６に用紙が引き込まれると、反転ローラ１２５が反転し、用紙を両面パス１２３のうち、略水平方向に形成された部分１２３Ｂに送り込む。この時点で用紙の表裏が反転する。
【００５４】
略水平方向に形成された両面パス１２３Ｂに送り込まれた用紙は、両面パス１２３Ｂ上に形成された搬送ローラ１２７、１２８及び１２９により搬送される。両面パス１２３Ｂは、搬送ローラ１１０の下方で紙パス１０６に連結されている。搬送ローラ１２７、１２８及び１２９により両面パス１２３Ｂを搬送し、紙パス１０６に送り込まれた用紙は、再度、感光体ドラム１１２の下方に送り込まれ、今度はその裏面に画像が形成される。
【００５５】
本体ユニット１０２の側面に給紙カセット１０３からの給紙以外の給紙を実現する手差しトレイ１３０が設けられている。手差しトレイ１３０に載置された用紙束の最上面の用紙がピックアップローラ１３１により取り込まれ、搬送ローラ１３２によりレジストローラ１１１に渡される。
【００５６】
図２及び図３に本実施の形態に係る感光体ドラム保持装置２００が感光体ドラム１１２を保持した状態の斜視図を示す。図２は後述するフライホイル側から見た本感光体ドラム保持装置２００の斜視図を示し、図３は感光体ドラム１１２側から見た本感光体ドラム保持装置２００の斜視図を示す。
【００５７】
図２及び図３に示すように、本感光体ドラム保持装置２００は、感光体ドラム１１２の側面側に配置され、感光体ドラム１１２と同軸上に係合した駆動軸（以下、単に「軸」という）２０１をブラケット２０２で回転可能に保持する。この軸２０１は、ブラケット２０２の所定位置に形成された穴部を貫通し、この穴部に取り付けられたベアリング２０３を介してブラケット２０２に保持されている。
【００５８】
ブラケット２０２から側面側に突出した軸２０１の端部にフライホイル２０４が取り付けられる。フライホイル２０４は、その慣性質量により感光体ドラム１１２の回転ムラを抑制するために取り付けられている。フライホイル２０４は、本感光体ドラム保持装置２００の中で特に特徴を有するフランジを介して感光体ドラム１１２の軸２０１に取り付けられている。このフランジの詳細については、図４及び図５を用いて後述する。
【００５９】
また、フライホイル２０４には、その表面であって周面部近傍の所定位置に、第１回転止穴としての複数の穴部２０５が形成されている。穴部２０５には、感光体ドラム１１２の軸２０１に対してフライホイル２０４を取り付ける作業において、フライホイル２０４の回転を防止するために使用される棒部材２０６が通される。
【００６０】
棒部材２０６は、一方の端部が他の部分よりも細くなっている。フライホイル２０４を通った棒部材２０６は、図３に示すように、ブラケット２０２の所定位置に形成された第２回転止穴としての穴部２０７に差し込まれる。この穴部２０７は、棒部材２０６の細い部分は入り込むが太い部分は入り込むことができない大きさになっている。フライホイル２０４の穴部２０５を通ってブラケット２０２に形成された穴部２０７に差し込まれることで、棒部材２０６はフライホイル２０４の回転を防止するストッパとしての役割を果たすことになる。
【００６１】
ブラケット２０２は、内部に感光体ドラム１１２に動力を与える駆動源であるモータ２０８を収納する空間を確保した形状を有している。モータ２０８からの動力は、感光体ドラム１１２の軸２０１に固定され、ブラケット２０２の外部に配置された駆動ギヤ２０９を介して感光体ドラム１１２に与えられる。モータ２０８からの動力が駆動ギヤ２０９及び感光体ドラム１１２の軸２０１を通じて感光体ドラム１１２に伝達されることになる。
【００６２】
以下、図４及び図５を用いて本感光体ドラム保持装置２００のフランジ周辺の構造について説明する。図４は、本感光体ドラム保持装置２００のフランジ周辺の分解斜視図である。図５は、本感光体ドラム保持装置２００のフランジ周辺の分解断面図である。
【００６３】
図４に示すように、感光体ドラム１１２の軸２０１の端部（以下、「軸端部」という）２０１Ａは、軸２０１の回転を確実にフライホイル２０４に伝達する形状になっている。すなわち、周面の所定位置が削られ、切断面において対向する辺を備えた形状になっている。なお、軸端部２０１Ａの形状はこれに限定されず、Ｄカット形状等の形状を採用してもよい。また、軸端部２０１Ａの頭頂部（端面）にはネジ穴２０１Ｂが設けられている。このような形状を有する軸端部２０１Ａにフランジ４０１が連結される。
【００６４】
フランジ４０１は、軸端部２０１Ａと連結され、軸２０１の回転をフライホイル２０４に伝達する。フランジ４０１は、例えば、樹脂等の素材で構成される。フランジ４０１には軸端部２０１Ａを収納する収納部４０１Ａが設けられている。収納部４０１Ａの内側には、軸端部２０１Ａの形状が嵌合する穴４０１Ｂが形成されている（図５参照）。この穴４０１Ｂに軸２０１を嵌合させることで軸端部２０１Ａとフランジ４０１とが連結される。これにより、軸２０１の回転がフランジ４０１に伝達されることになる。
【００６５】
一方、収納部４０１Ａの外側は、軸２０１と同様、軸２０１の回転を確実にフライホイル２０４に伝達する形状になっている。すなわち、所定位置が削られ、その切断面において対向する辺を備えた形状になっている。このような形状を有する収納部４０１Ａにフライホイル２０４が連結される。
【００６６】
フライホイル４０１には、その中心部に収納部４０１Ａを収納する穴部２０４Ａが形成されている。穴部２０４Ａは、収納部４０１Ａの外側の形状が嵌合する形状に形成されている。この穴部２０４Ａに収納部４０１Ａの外側の形状が嵌合することでフランジ４０１とフライホイル２０４とが連結される。
【００６７】
フライホイル２０４は、その慣性質量により回転ムラを抑えるという特徴から一定以上の重量を有している。このため、フランジ４０１との連結の際には、穴部２０４Ａの周辺でネジ止めすることでその負荷を分散している。具体的には、穴部２０４Ａの周辺に形成された複数個のネジ穴２０４Ｂにネジ４０２を通して、フランジ４０１に設けられたネジ穴４０１Ｃに挿入することでフライホイル２０４とフランジ４０１とを締結している。これにより、フライホイル２０４とフランジ４０１が一体となり、軸２０１の回転がフランジ４０１を通じてフライホイル２０４にも伝達される。
【００６８】
フライホイル２０４の穴部２０４Ａに嵌め込まれた収納部４０１Ａの内側に嵌合している軸端部２０１Ａに形成されたネジ穴２０１Ｂにネジ４０３でネジ止めすることでフランジ４０１が軸２０１に固定される。フランジ４０１が軸２０１に固定されることで、フランジ４０１と一体になっているフライホイル２０４も軸２０１に固定されることとなる。
【００６９】
ネジ４０３を軸端部２０１Ａに形成されたネジ穴２０１Ｂに挿入する際、ネジ４０３と軸端部２０１Ａとの間には、フランジキャップ４０４が配置される。すなわち、ネジ４０３は、フランジキャップ４０４に形成された穴部を通過して軸端部２０１Ａに形成されたネジ穴２０１Ｂに挿入される。
【００７０】
フランジキャップ４０４は、図４に示すように、フランジ４０１の収納部４０１Ａにおけるネジ４０３の挿入側の内周部分を構成し、収納部４０１Ａに分離可能に嵌合する形状となっている。フランジキャップ４０４は、外周に凹凸形状を有している。具体的には、ネジ穴２０１Ｂに対応するリング形状を備え、このリング形状から収納部４０１の周面に向かって所定の凸形状を備えた形状となっている。
【００７１】
一方、収納部４０１Ａの端面は、このフランジキャップ４０４の凹凸形状が嵌合される形状に設けられている。具体的には、収納部４０１Ａの端部には、フランジキャップ４０４が嵌合される溝が形成されており、その溝の内側部分の内周にフランジキャップ４０４の凹凸形状に対応する凹凸形状が設けられている。すなわち、フランジキャップ４０４のリング形状が嵌め込まれ、かつ、フランジキャップ４０４の凸形状を収納する凹形状を備えた形状に設けられている。
【００７２】
フランジキャップ４０４が収納部４０１Ａの端部に嵌め込まれた後、ネジ４０３が軸端部２０１Ａに形成されたネジ穴２０１Ｂに挿入される。したがって、軸２０１の回転によりフランジ４０１が回転した場合には、フランジキャップ４０４の凸部が収納部４０１Ａの凹部に当接することにより、フランジキャップ４０４もフランジ４０１と一体となって回転する。
【００７３】
また、ネジ４０３の頭部４０３Ａとフランジキャップ４０４との間及びフランジキャップ４０４と軸端部２０１Ａとの間には、それぞれ第１緩み止め部材４０５及び第２緩み止め部材４０６が配置される。すなわち、ネジ４０３は、第１緩み部材４０５、フランジキャップ４０３及び第２緩み止め部材４０６に形成された穴を通過して軸端部２０１Ａに形成されたネジ穴２０１Ｂに挿入される。
【００７４】
第１緩み止め部材４０５及び第２緩み止め部材４０６は、それぞれフライホイル２０４の負荷によりネジ４０３が緩むのを防止するために配置されている。すなわち、第１緩み止め部材４０５及び第２緩み止め部材４０６は、フライホイル２０４の負荷を吸収する部材として用いられる。第１緩み止め部材４０５及び第２緩み止め部材４０６は、例えば、ばね座金で構成される。
【００７５】
図６は、本感光体ドラム保持装置２００の全ての構成要素を連結した状態の断面図である。なお、全ての構成要素が連結した後には棒部材２０６は、必要ないものであるが、図６では棒部材２０６をも参考のため、断面図に加えている。
【００７６】
また、図７は、本感光体ドラム保持装置２００の全ての構成要素を連結した場合のフライホイル２０４を示す図である。図７（ａ）はフライホイル２０４を正面側（本感光体ドラム保持装置２００の外側）から見た図であり、図７（ｂ）はフライホイル２０４を背面側（本感光体ドラム保持装置２００の内側）から見た図である。なお、図７（ｂ）においては、説明の便宜上、フランジ４０１からフライホイル２０４側の構成のみを示すものとし、その内側において第２緩み止め部材４０６を示し、軸２０１は省略している。
【００７７】
図６及び図７（ａ）に示すように、全ての構成要素が連結された場合、軸２０１を収納したフランジ４０１の収納部４０１Ａの端部がフライホイル２０４に形成された穴部２０４Ａから僅かに突出する。収納部４０１Ａの端部は、ちょうどフランジキャップ４０４が嵌め込まれる分だけ穴部２０４Ａから突出する。
【００７８】
この収納部４０１Ａの端部に第２緩み止め部材４０６を挟んだ状態でフランジキャップ４０４が嵌め込まれている。第１緩み止め部材４０５をネジ頭部４０３Ａとフランジキャップ４０４との間に挟んだ状態で、ネジ４０３が軸端部２０１Ａに形成された穴部２０１Ｂに挿入されている。
【００７９】
このとき、フランジキャップ４０４は、図７（ａ）に示すように、収納部４０１の端面に収納され、収納部４０１の端面の高さと同様の高さで固定される。なお、図７（ａ）においては、フランジ４０１とフライホイル２０４を３本のネジ４０２で連結しているが、これに限定されず、連結できればネジ４０２の本数は何本でもよい。
【００８０】
以下、本感光体ドラム保持装置２００の組立作業について図４を用いて説明する。本感光体ドラム保持装置２００の組立作業としては、フライホイル２０４を感光体ドラム１１２の軸２０１に対してどのような方向から連結させてもよいが、本実施の形態では、特に感光体ドラム１１２の軸２０１を上に向かせ、フライホイル２０４を上側から連結する場合について説明する。すなわち、図４の左方を上側とし、右方を下側とする場合について説明する。
【００８１】
まず、ベアリング２０３を介して感光体ドラム１１２の軸２０１を保持したブラケット２０２を治具等によって、感光体ドラム１１２の軸２０１が上方に向くように固定する。
【００８２】
そして、その上方からフランジ４０１を固定したフライホイル２０４を、感光体１１２の軸２０１がフランジ４０１の収納部４０１Ａに収納されるように被せる。なお、フライホイル２０４に対するフランジ４０１の固定は、上述のようにフランジ４０１の収納部４０１Ａをフライホイル２０４の穴部２０４Ａに嵌合させた後、ネジ４０２でフライホイル２０４とフランジ４０１を締結することで行われる。
【００８３】
軸２０１がフランジ４０１の収納部４０１Ａに収納されると、収納部４０１Ａの端部がフライホイル２０４の表面からわずかに突出した状態（図６の状態）となる。このとき、収納部４０１Ａの端面がフライホイル２０４の上面から確認できる位置に配置される。
【００８４】
この状態になったならば、棒部材２０６をフライホイル２０４に形成された穴部２０５を通し、ブラケット２０２に形成された穴部２０７に差し込む。これにより、フライホイル２０４の回転が制限される。
【００８５】
そして、フライホイル２０４の回転が制限された状態で、第２緩み止め部材４０６を収納部４０１Ａの端面に形成されたフランジキャップ４０４を収納する部分（上面から見た場合に窪んだ部分）に載置する。さらに、その上からフランジキャップ４０４を収納部４０１Ａの端面に嵌め込むように載置する。
【００８６】
最後に、図４に示すように、第１緩み止め部材４０５を差し込んだ状態のネジ４０３を、フランジキャップ４０４及び第２緩み止め部材４０６を通して軸端部２０１Ａに形成されたネジ穴２０１Ｂに挿入しネジ止めする。このようにして本感光体ドラム保持装置２００が組み立てられる。
【００８７】
このように本実施の形態の感光体ドラム保持装置２００によれば、フランジ４０１の内周部分をフランジキャップ４０４として分離して、第１緩み止め部材４０５をネジの頭部４０３Ａとフランジキャップ４０４との間に挟むようにしている。これにより、ネジ止め作業の過程で第１緩み止め部材４０５が外れることはないので、第１緩み止め部材４０５を手で押えて保持する必要がなく、フライホイル２０４を感光体ドラム１１２の軸２０１にネジ止めする作業を容易にできる。
【００８８】
また、フランジ４０１の内周部分をフランジキャップ４０４として分離して、第２緩み止め部材４０６をフランジキャップ４０４と感光体ドラム１１２の軸２０１との間に挟むようにしている。これにより、ネジ止め作業の過程で第２緩み止め部材４０６が外れることはないので、第２緩み止め部材４０６を手で押えて保持する必要がなく、フライホイル２０４を感光体ドラム１１２の軸２０１にネジ止めする作業を容易にできる。
【００８９】
また、第２緩み止め部材４０６を、フライホイル２０４のネジ４０３の挿入側からフランジキャップ４０４と感光体ドラム１１２の軸２０１との間に挟むようにしたことにより、第１緩み止め部材４０５、フランジキャップ４０４及び第２緩み止め部材４０６の各々をフライホイル２０４の同一側面から取り付けることができるので、従来のように径の大きく重量の重いフライホイル２０４の下方に手を回して第２緩み止め部材４０６を保持する必要はなくなり、フライホイル２０４を感光体ドラム１１２の軸２０１にネジ止めする作業を容易にできる。
【００９０】
また、本実施の形態の感光体ドラム保持装置２００によれば、フランジキャップ４０４の外周に凸形状を設ける一方、フランジ４０１の端面にフランジキャップ４０４の凸形状に対応する凹形状を設けている。これにより、感光体ドラム１１２が回転すると、フランジキャップ４０４の凸形状がフランジ４０１の凹形状に噛み合ってフランジキャップ４０４がフランジ４０１の内部で空転するのを防止できる。したがって、ネジ４０１に対して相反する力が加わって、ネジ４０１が緩むのを防止できる。
【００９１】
なお、フランジキャップ４０４の形状としては、本実施の形態の形状に限定されない。フランジキャップ４０４がフランジ４０１の内部で空転するのを防止できる形状であればどのような形状を選択してもよい。
【００９２】
さらに、本実施の形態の感光体ドラム保持装置２００によれば、フライホイル２０４に形成された穴部２０５とブラケット２０２に形成された穴部２０７とに棒部材２０６を通すことにより、フライホイル２０４が回転するのを防止している。これにより、ネジ４０３を回す際にフライホイル２０４がつられて回転するのを防止できるので、フライホイル２０４を手で押えることなく、ネジ４０３を最後まで押し込むことができる。
【００９３】
【発明の効果】
以上説明したように、本発明によれば、感光体ドラムの駆動軸の回転をフライホイルに伝達するフランジを、フランジとこのフランジに嵌合されるフランジキャップとに分離し、このフランジを駆動軸に固定するネジ頭とフランジキャップとの間に第１緩み止め部材を挟む一方、第２緩み止め部材をフランジキャップと駆動軸との間に挟みながらフランジを駆動軸に固定するようにしたので、ネジ止め作業の過程で第１緩み止め部材及び第２緩み止め部材が外れることはないので、第１緩み止め部材又は第２緩み止め部材を手で押えて保持する必要がなく、フライホイルを感光体ドラムの駆動軸にネジ止めする作業を容易にできる。
【図面の簡単な説明】
【図１】本発明の一実施の形態に係る感光体ドラム保持装置が適用される電子写真記録装置の概略構成図
【図２】上記実施の形態に係る感光体ドラム保持装置が感光体ドラムを保持した状態の斜視図
【図３】上記実施の形態に係る感光体ドラム保持装置が感光体ドラムを保持した状態の斜視図
【図４】上記実施の形態に係る感光体ドラム保持装置のフランジ周辺の分解斜視図
【図５】上記実施の形態に係る感光体ドラム保持装置のフランジ周辺の分解断面図
【図６】上記実施の形態に係る感光体ドラム保持装置の全ての構成要素を連結した状態の断面図
【図７】上記感光体ドラム保持装置の全ての構成要素を連結した場合のフライホイルを示す図
【図８】従来の感光体ドラムの保持装置の感光体ドラムの軸とフランジとの連結部分の拡大図
【符号の説明】
１００  電子写真記録装置
１１２  感光体ドラム
２００  感光体ドラム保持装置
２０１  軸
２０２  ブラケット
２０４  フライホイル
２０５  穴部
２０６  棒部材
２０７  穴部
２０８  モータ
２０９  駆動ギヤ
４０１  フランジ
４０２、４０３  ネジ
４０４  フランジキャップ
４０５  第１緩み止め部材
４０６  第２緩み止め部材
【図１】
0003892706.tif 000002
【図２】
0003892706.tif 000003
【図３】
0003892706.tif 000004
【図４】
0003892706.tif 000005
【図５】
0003892706.tif 000006
【図６】
0003892706.tif 000007
【図７】
0003892706.tif 000008
【図８】
0003892706.tif 000009